(57)【要約】【課題】所定の強度以上の光を透過し当該所定の強度未満の光を遮蔽する光学的遮蔽層を活用して、この遮蔽層を介し対向する両図柄層の各図柄部を、遊技機の遊技状態の変化にあわせて選択的に視認できるように構成した遊技盤のための装飾板を提供する。【解決手段】装飾板２０は、透明シート２１、一側図柄層２２、遮蔽層２３、他側図柄層２４及び縮み層２５を有する。一側図柄層２２は、図柄部を含むように、透明シート２１に沿いその裏面側からオフセット印刷により形成されている。遮蔽層２３は、一側図柄層２２に沿いその裏面側からメタリックインク材料を用いたシルク印刷により形成されている。他側図柄層２４は、両図柄部を含むように、遮蔽層２３に沿いその裏面側からシルク印刷により形成されている。縮み層２５は、他側図柄層２４に沿いその裏面側から縮み印刷により形成されている。【選択図】図２
2010000228.tif 000002
【特許請求の範囲】
【請求項１】
遊技盤の盤面を構成する装飾板において、
透明シートと、
この透明シートに沿いその裏面側から透光可能に形成されて図柄部を含む一側図柄層と、
この一側図柄層に沿いその裏面側から形成されて所定の光強度以上の光を透過しこの所定の光強度未満の光を遮蔽する光学的遮蔽層と、
この遮蔽層を介し前記一側図柄層に対向するように前記遮蔽層に沿いその裏面側から透光可能に形成されて他の図柄部を含む他側図柄層とを備えることを特徴とする遊技盤のための装飾板。
【請求項２】
前記透明シートは、無色透明な高分子材料で形成されており、
前記一側図柄層は、前記透明シートに沿いその裏面側からオフセット印刷により形成されており、
前記遮蔽層は、前記一側図柄層に沿いその裏面側からメタリックインク材料を用いたシルク印刷により形成されており、
前記他側図柄層は、前記遮蔽層にその裏面側からシルク印刷により形成されていることを特徴とする請求項１に記載の遊技盤のための装飾板。
【請求項３】
前記他側図柄層に沿いその裏面側から形成されて光を拡散させる拡散層を備えることを特徴とする請求項１または２に記載の遊技盤のための装飾板。
【請求項４】
前記拡散層は、前記他側図柄層に沿いその裏面側から縮み印刷されて縮み層として形成されていることを特徴とする請求項３に記載の遊技盤のための装飾板。
【発明の詳細な説明】
【技術分野】
【０００１】
本発明は、パチンコ遊技機、アレンジボール遊技機或いは雀球遊技機等の各種の遊技機に採用される遊技盤のための装飾板に関する。
【背景技術】
【０００２】
従来、例えば、パチンコ遊技機の遊技盤は、下記特許文献１により開示された遊技盤が提案されている。この遊技盤は、合板製盤本体、台紙、両印刷層及び透明シートを備えており、台紙は、合板製盤本体の表面に貼着されている。ここで、台紙、両印刷層及び透明シートが遊技盤の装飾板に対応する。
【０００３】
当該装飾板において、両印刷層のうちの一方の透光性印刷層は、台紙の通光孔を介し合板製盤本体の光源収容孔に対応するように、透明シートの裏面に印刷により形成されている。また、両印刷層のうちの他方の透光性であることを要しない印刷層は、透明シートの裏面のうち上記透光性印刷層の形成部位以外の部位に印刷により形成されている。
【０００４】
透明シートは、その裏面にて、両印刷層を介し、台紙の表面に接着剤でもって接着されている。ここで、この接着は、両印刷層のうちの透光性印刷層を台紙の通光孔に対応させるようになされている。
【０００５】
以上のような構成のもと、合板製盤本体の光源収容孔に挿入した発光ダイオードを発光させることにより、上記透光性印刷層が、当該発光ダイオードの出射光により照射されて、電飾層としての機能を発揮するようになっている。
【特許文献１】特開２００４−６５６４２号公報
【発明の開示】
【発明が解決しようとする課題】
【０００６】
ところで、上述の装飾板において、上記透光性印刷層は、単一の印刷層にすぎないため、当該透光性印刷層が図柄を含むように印刷されていると、遊技者は、発光ダイオードによる照射の有無とは関係なく、常に、当該図柄を、透明シートを通して視認することとなる。
【０００７】
従って、例えば、透光性印刷層に対する発光ダイオードによる照射が、遊技状態の変化を遊技者に伝えるためになされても、遊技者により視認されている図柄自体には変化がないため、遊技者に対し遊技状態の変化を十分には伝えきれないという不具合が生ずる。
【０００８】
そこで、本発明は、以上のようなことに対処するために、所定の強度以上の光を透過し当該所定の強度未満の光を遮蔽する光学的遮蔽層を活用して、この遮蔽層を介し対向する両図柄層の各図柄部を、遊技機の遊技状態の変化にあわせて選択的に視認できるように構成した遊技盤のための装飾板を提供することを目的とする。
【課題を解決するための手段】
【０００９】
上記課題の解決にあたり、本発明に係る遊技盤のための装飾板は、請求項１の記載によれば、遊技盤（Ｂ）の盤面を構成する装飾板（２０、２０Ａ）において、
透明シート（２１）と、
この透明シートに沿いその裏面側から透光可能に形成されて図柄部（２２ａ）を含む一側図柄層（２２）と、
この一側図柄層に沿いその裏面側から形成されて所定の光強度以上の光を透過しこの所定の光強度未満の光を遮蔽する光学的遮蔽層（２３）と、
この遮蔽層を介し一側図柄層に対向するように遮蔽層に沿いその裏面側から透光可能に形成されて他の図柄部（２４ａ、２４ｂ）を含む他側図柄層（２４）とを備えることを特徴とする。
【００１０】
しかして、このように構成した装飾板をその他側図柄層の側から遊技機の遊技盤に設けた無色透明な基板に貼着するとともに所定の光強度の光を出射する光出射手段を上記基板の裏面側に配設する。このような状態において、遊技機が、例えば、通常の遊技状態にあるときに、光出射手段が光を出射していなければ、遮蔽層が所定の光強度未満の光を遮蔽することから、遮蔽層は、他側図柄層を遮蔽する。このため、遊技者は、透明シートを通して一側図柄層を視認することとなる。従って、遊技者は、一側図柄層の図柄部を視認することにより通常の遊技状態を認識し得る。
【００１１】
このような状態において、遊技機が、通常の遊技状態から他の遊技状態に変化したとき、光出射手段が光を出射すれば、この光は、無色透明の基板を透過して装飾板の他側図柄層に入射する。この他側図柄層が透光可能に形成されていることから、無色透明の基板を透過した光は、他側図柄層を透過して遮蔽層に入射する。この遮蔽層は、所定の光強度以上の光を透過することから、遮蔽層に入射した光は当該遮蔽層を透過して一側図柄層に入射する。
【００１２】
ここで、当該一側図柄層は透光可能に形成されていることから、この一側図柄層に入射した光は、当該一側図柄層を透過し、然る後、透明シートを透過する。
【００１３】
このとき、他側図柄層の他の図柄部が、一側図柄層の図柄部の色（例えば、青色）に比べて、赤色光を受けたときより強く光る色、例えば、赤色で形成されていれば、上述のように光が他側図柄層及び一側図柄層の双方を透過しても、一側図柄層の図柄部は、他側図柄層の他の図柄部ほど強く光らない。
【００１４】
従って、他側図柄層の図柄部の光る度合いと一側図柄層の図柄部の光る度合いとの差が、遊技者にとって、一側図柄層の図柄部を無視し得る程度、換言すれば、他側図柄層の図柄部しか視認できない程度であれば、他側図柄層の図柄部のみが浮き出るように見えて、遊技者の注意を引くことができる。これにより、遊技者は、通常の遊技状態から他の遊技状態への変化を明確に視認し得る。
【００１５】
また、上述のように基板が無色透明であれば、一側及び他側の各図柄層の図柄部は、遊技盤上の障害釘や役物の位置に影響されることなく、自由に位置させることができるので、装飾板のデザインの自由度が向上し得る。また、上述のように基板が無色透明であれば、光出射手段からの光は、当該基板のどの部位をも透過できるので、光を装飾板に向けて通過させるに要する貫通穴をわざわざ基板に設ける必要もない。
【００１６】
また、上述の無色透明の基板に代えて、不透明の基板或いはベニヤ板の積層板からなる基板を採用した場合には、この基板には、光出射手段からの光を通過させる貫通穴部の形成が必要であるため、一側及び他側の各図柄層の図柄部の形成位置が、遊技盤上の障害釘や役物のない位置に規制される。このため、装飾板のデザインの自由度が制限されるが、その他の作用効果は、上述と同様に達成され得る。
【００１７】
また、本発明は、請求項２の記載によれば、請求項１に記載の遊技盤のための装飾板において、
透明シートは、無色透明な高分子材料で形成されており、
一側図柄層は、透明シートに沿いその裏面側からオフセット印刷により形成されており、
遮蔽層は、一側図柄層に沿いその裏面側からメタリックインク材料を用いたシルク印刷により形成されており、
他側図柄層は、遮蔽層にその裏面側からシルク印刷により形成されていることを特徴とする。
【００１８】
これによれば、一側図柄層はオフセット印刷により形成されているため、当該一側図柄層が十分に薄くでき透光性を良好に確保できる。また、遮蔽層は、メタリックインク材料を用いたシルク印刷により形成されているから、当該遮蔽層は、メタリックインク材料の金属成分のもとに、所定の光強度以上の光を透過しこの所定の光強度未満の光を光学的に遮蔽するという光学的効果を適正に発揮し得る。また、他側図柄層は、シルク印刷により形成されているから、当該他側図柄層の透光性は適正に確保し得る。以上によれば、請求項１に記載の発明の作用効果がより一層具体的に達成され得る。
【００１９】
また、本発明は、請求項３の記載によれば、請求項１または２に記載の遊技盤のための装飾板において、他側図柄層に沿いその裏面側から形成されて光を拡散させる拡散層（２５）を備えることを特徴とする。
【００２０】
これによれば、上述した透明基板、不透明の基板或いはベニヤ板の積層板からなる基板の貫通穴部を通り装飾板に入射する光は、拡散層により均一に拡散されて、他側図柄層、遮蔽層、一側図柄層及び透明シートを透過する。このため、請求項１または２に記載の発明の作用効果を確保しつつ、遊技者は、他側図柄層の図柄部を、均一な明るさにて、良好に視認できる。
【００２１】
また、本発明は、請求項４の記載によれば、請求項３に記載の遊技盤のための装飾板において、拡散層は、他側図柄層に沿いその裏面側から縮み印刷されて縮み層として形成されていることを特徴とする。
【００２２】
このように、拡散層が縮み層として縮み印刷されているため、請求項３に記載の発明の作用効果がより一層具体的に達成され得る。
【００２３】
なお、上記各手段の括弧内の符号は、後述する実施形態に記載の具体的手段との対応関係を示すものである。
【発明を実施するための最良の形態】
【００２４】
以下、本発明の各実施形態を図面により説明する。
（第１実施形態）
図１は、本発明が適用されるパチンコ遊技機の第１実施形態を示している。当該パチンコ遊技機は、パチンコホール内の島に立設されるもので、このパチンコ遊技機は、機枠（図示しない）と、この機枠に前後方向に開閉可能に支持される遊技機本体（図示しない）及び前扉（図示しない）とにより構成されている。
【００２５】
上記遊技機本体は、遊技盤Ｂを備えており、この遊技盤Ｂは、図１〜図３のいずれかにより示すごとく、基板１０及び装飾板２０を備えている。本実施形態では、基板１０は、無色透明な高分子材料でもって矩形状に形成されている。
【００２６】
装飾板２０は、遊技盤Ｂの盤面を構成するもので、この装飾板２０は、図２及び図３にて示すごとく、透明シート２１、一側図柄層２２、遮蔽層２３、他側図柄層２４及び縮み層２５でもって構成されている。
【００２７】
透明シート２１は、無色透明なポリエステル樹脂材料により矩形状に形成されている。一側図柄層２２は、透明シート２１の裏面に沿い層状に形成されている。この一側図柄層２２は、図１から分かるように、図柄部２２ａを有しており、この図柄部２２ａは、一側図柄層２２の右側下部にて形成されている。なお、図１において、図柄部２２ａは、本来、破線で示すべきであるが、便宜上、実線により示されている。
【００２８】
ここで、図柄部２２ａは、互いに部分的に重畳される両長方形状枠と、この両長方形状枠の一方内に図１にて示すごとく２段に配列した「OPEN」及び「7:00〜23:00」なる各文字列とでもって青色に構成されている。なお、当該各文字列は、喫茶店等の店の営業時間を表す。また、本第１実施形態では、一側図柄層２２の色は、図柄部２２ａを除き、フルカラーの背景色となっている。また、図柄部２２ａの上記両長方形状枠の内側は、上記各文字列を除き、一側図柄層２２の背景色と同一の背景色となっている。また、一側図柄層２２は、上述のような配色で構成されていても、透光可能な薄さに形成されている。
【００２９】
遮蔽層２３は、所定の光強度以上の光を透過し当該所定の光強度未満の光を遮蔽するような所定の光学特性を有するように、一側図柄層２２の裏面に沿い層状に形成されている。本実施形態では、上記所定の光強度以上の光は、例えば、発光ダイオードから出射される光強度の光をいう。
【００３０】
他側図柄層２４は、遮蔽層２３の裏面に沿い層状に形成されている。ここで、この他側図柄層２４は、図８から分かるように、両図柄部２４ａ、２４ｂを有しており、他側図柄層２４は、両図柄部２４ａ、２４ｂを除き、灰色の背景色となるように形成されている。
【００３１】
本実施形態では、図柄部２４ａは、他側図柄層２４の下部の左側にて、当該他側図柄層２４の下部を３本の雷光線部の形状にくり抜くことで形成されている。一方、図柄部２４ｂは、他側図柄層２４の下部の右側にて形成されている。但し、図柄部２４ｂは、長方形状枠と、この枠内に配列した「DANGER」の文字列とでもって構成されており、この図柄部２４ｂの上記方形状枠内は、「DANGER」の文字列をのぞき、灰色となっている。
【００３２】
また、本実施形態では、図柄部２４ｂの光る度合いと図柄部２２ａの光る度合いとの差が、遊技者にとって、図柄部２２ａを無視し得る程度、換言すれば、他側図柄層の図柄部しか視認できない程度となるように、両図柄部２４ｂ、２２ａの各色が上述のごとく選定されている。
【００３３】
縮み層２５は、他側図柄層２４の裏面に沿い層状にかつ光拡散特性を有するように形成されている。
【００３４】
また、当該遊技機本体は、図２及び図３にて示すごとく、各光源３０、４０を有している。光源３０は、遊技盤Ｂの基板１０のうち他側図柄層２４の図柄部２４ａに対する対向板部位（以下、左側対向板部位１０ａという）にその背面側から組み付けられている。
【００３５】
当該光源３０は、遮光性カバー３１を有しており、このカバー３１は、断面コ字状のカバー本体３１ａの外周部に環状フランジ３１ｂを形成して構成されている。しかして、このカバー３１は、カバー本体３１ａの内部を基板１０の左側対向板部位１０ａにその背面側から対向させるように、環状フランジ３１ｂにて左側対向板部位１０ａに装着されている。
【００３６】
また、当該光源３０は、回路基板３２及び複数の発光ダイオード３３を有しており、回路基板３２は、カバー本体３１ａ内にて、基板１０の左側対向板部位１０ａに並行となるように支持されている。複数の発光ダイオード３３は、共に、赤色光発光部、緑色光発光部及び青色光発光部を有する発光ダイオードでもって構成されており、当該複数の発光ダイオード３３は、回路基板３２の配線パターン部に電気的に接続されている。ここで、各発光ダイオード３３は、３本の雷光線部からなる図柄部２４ａの全体を照射し得る数でもって、回路基板３２の配線パターン部に配設されている。
【００３７】
しかして、当該パチンコ遊技機による遊技状態が通常の遊技状態にあるとき、当該複数の発光ダイオード３３は、回路基板３２に接続した発光駆動回路（図示しない）により非駆動状態におかれる。また、当該パチンコ遊技機による遊技状態が通常の遊技状態から他の所定の遊技状態に変化するとき、当該複数の発光ダイオード３３は、その各青色光発光部にて上記発光駆動回路により駆動されて発光し、青色光を基盤１０の左側対向板部位１０ａに向けて入射する。なお、各発光ダイオード３３の装飾板２０に対する入射角は、実質的に零度である。
【００３８】
また、光源４０は、遊技盤Ｂの基板１０のうち一側図柄層２２の図柄部２２ａ及び他側図柄層２４の図柄部２４ｂの双方に対応する対向板部位（以下、右側対向板部位１０ｂという）にその背面側から組み付けられている（図３参照）。
【００３９】
当該光源４０は、遮光性カバー４１を有しており、このカバー３１は、断面コ字状のカバー本体４１ａの外周部に環状フランジ４１ｂを形成して構成されている。しかして、このカバー４１は、カバー本体４１ａの内部を基板１０の右側対向板部位１０ｂにその背面側から対向させるように、環状フランジ４１ｂにて右側対向板部位１０ｂに装着されている。
【００４０】
また、当該光源４０は、回路基板４２及び複数の発光ダイオード４３を有しており、回路基板４２は、カバー本体４１ａ内にて、基板１０の右側対向板部位１０ｂに並行となるように支持されている。複数の発光ダイオード４３は、共に、赤色光発光部、緑色光発光部及び青色光発光部を有する発光ダイオードでもって構成されており、当該複数の発光ダイオード４３は、回路基板４２の配線パターン部に電気的に接続されている。ここで、各発光ダイオード４３は、一側図柄層２２の図柄部２２ａ及び他側図柄層２４の図柄部２４ｂの双方の全体を照射し得る数でもって、回路基板４２の配線パターン部に配設されている。
【００４１】
しかして、当該パチンコ遊技機による遊技状態が上述のように通常の遊技状態にあるとき、当該複数の発光ダイオード４３は、上記発光駆動回路により非駆動状態におかれる。また、当該パチンコ遊技機による遊技状態が上述のように通常の遊技状態から上記他の所定の遊技状態に変化するとき、当該複数の発光ダイオード４３は、その各赤色光発光部にて、複数の発光ダイオード３３の駆動に同期して上記発光駆動回路により駆動されて発光し、赤色光を基板１０の右側対向板部位１０ｂに向けて照射する。なお、各発光ダイオード４３の装飾板２０に対する入射角は、実質的に零度になっている。また、当該パチンコ遊技機をパチンコホール内に設置した場合、当該パチンコホール内の照明光等の光が遊技盤Ｂの盤面（装飾板２０）に入射することになるが、このような光の光強度は、上記所定の光強度に比べて、実質的に無視し得るほど小さい。
【００４２】
また、当該遊技機本体は、図１或いは図２にて示すごとく、案内レール５０ａ、スルーゲート５０ｂ、風車５０ｃ、スタートチャッカー５０ｄ、アタッカー５０ｅ、センター飾６０及び多数の障害釘７１からなる障害釘群７０を備えている。案内レール５０ａは、遊技盤Ｂの装飾板２０の表面に沿い配設されており、この案内レール５０ａは、その内周側において装飾板２０の表面上に遊技領域Ｂａ（図１参照）を特定する。
【００４３】
スルーゲート５０ｂ、風車５０ｃ、スタートチャッカー５０ｄ及びアタッカー５０ｅは、図１にて示す各位置にて、遊技盤Ｂに装飾板２０を介し組み付けられている。センター飾６０は、遊技盤Ｂの開口部の外周部に沿い組み付けられている。障害釘群７０の各障害釘７１は、図１にて示すごとく、遊技盤Ｂにその装飾板２０側から分散して打ち込まれている。
【００４４】
ここで、装飾板２０の形成方法について説明する。まず、上記ポリエステル樹脂材料として、所定の厚さ（例えば、０．４（ｍｍ）或いは０．５３（ｍｍ）の厚さ）を有する無色透明のポリエチレンテレフタレート（以下、ＰＥＴという）からなるシート材料を準備する。そして、このシート材料を矩形状に切断して、透明シート２１用原シート１とする（図４参照）。
【００４５】
ついで、４色（シアン、マゼンダ、イエロー、ブラック）のインクでもって、オフセット印刷機（図示しない）により、原シート１の裏面に沿い層状にオフセット印刷して、一側図柄層２２用原印刷層２を形成する（図４参照）。このとき、図柄部２２ａを、原印刷層２の右側下部に位置するようにオフセット印刷により青色に形成し、原印刷層２の図柄部２２ａ以外の部位を、所定のカラー印刷パターンにて、上記フルカラー背景色となるようにオフセット印刷する。ここで、原印刷層２は、上述のごとくオフセット印刷されているため、この原原印刷層２の厚さは、通常、約２（μｍ）〜４（μｍ）の範囲以内の値となり、一側図柄層２２の上記透光可能な薄さを満たす。
【００４６】
上述のように原印刷層２を形成した後、多数の金属フレークを含むインクをメタリックインクとして準備し、このメタリックインクを用いて、シルク印刷機により、原印刷層２の裏面に沿い層状にシルク印刷し、遮蔽層２３用原印刷層３を形成する（図５参照）。
【００４７】
本第１実施形態では、当該原印刷層３は、上述のごとく、上記メタリックインクの印刷により形成されているため、当該原印刷層３の色は金属色となる。また、当該原印刷層３の印刷は、上述のごとく、シルク印刷によるため、この原印刷層３の厚さは、通常、約１０（μｍ）〜１２（μｍ）の範囲以内の値となっている。これにより、原印刷層３は上述した所定の光学特性を有する。
【００４８】
上述のように原印刷層３を形成した後、シルク印刷機により、所定のカラーインクを用いて、原印刷層３の裏面に沿い層状にシルク印刷して、他側図柄層２４用原印刷層４を形成する（図６参照）。このとき、図柄部２４ａを、原印刷層４の下部の左側にて、当該原印刷層４の下部を上記３本の雷光線部の形状にくり抜くことで形成し、図柄部２４ｂを、図６にて示すごとく、図柄部２２ａにほぼ重なるように、原印刷層４の下部の右側にて、赤色に印刷し、原印刷層４のうち両図柄部２４ａ、２４ｂ以外の部位を灰色に印刷する。なお、当該原印刷層４は、上述のごとく、シルク印刷されているため、この原印刷層４の厚さは、通常、約１０（μｍ）〜１２（μｍ）の範囲以内の値となっている。
【００４９】
ついで、シルク印刷機或いはスクリーン印刷機により、紫外線硬化性インクを用いて原印刷層４の裏面に沿い層状に縮み印刷して縮み層２５用原印刷層５を形成する（図７参照）。ここで、原印刷層５は、その縮み構成により、上記光拡散特性を有する。これにより、装飾板２０に対応する原板６（図７参照）の形成が終了する。なお、縮み印刷とは、紫外線硬化性インクの印刷後紫外線照射による硬化で縮ませる処理をいう。
【００５０】
最後に、上述のように形成した原板６を、図８にて示すように、切り抜く。ここで、原板６は上述のような構成を有するので、図８にて示すように切り抜かれた原板６は、透明シート２１、一側図柄層２２、遮蔽層２３、他側図柄層２４及び縮み層２５を積層してなる装飾板２０となる（図８参照）。これにより、装飾板２０の形成が終了する。そして、このように装飾板２０を形成した後は、当該装飾板２０を、その縮み層２５側から、基板１０の表面に透明の接着剤により貼着する。
【００５１】
以上のように構成した本第１実施形態では、当該パチンコ遊技機の遊技者による遊技状態が上記通常の遊技状態にあるとき、両光源３０、４０の各発光ダイオード３３、４３が共に非駆動状態におかれる。このため、各発光ダイオード３３、４３は共に発光していない。
【００５２】
このような状態では、他側図柄層２４が、遮蔽層２３によりその所定の光学特性でもって光学的に遮蔽されている。また、一側図柄層２２が、上述のごとくオフセット印刷によるために薄く形成されている。このため、上記遊技者が、一側図柄層２２を通してその裏側を視認できても、上記遊技者は、透明シート２１を通して、一側図柄層２２及び遮蔽層２３のみを視認することとなる。これにより、上記遊技者は、一側図柄層２２の背景及び図柄部２２ａのみを視認する。その結果、当該パチンコ遊技機による遊技状態が、上記通常の遊技状態にあることが、上記遊技者により認識され得る。
【００５３】
然る後、当該パチンコ遊技機の遊技状態が上記通常の遊技状態から上記他の遊技状態に変化すると、複数の発光ダイオード３３が、その各青色光発光部にて上記発光駆動回路により駆動されて発光し、青色光を基盤１０の左側対向板部位１０ａに向けて出射すると同時に、複数の発光ダイオード４３は、その各赤色光発光部にて、上記発光駆動回路により駆動されて発光し、赤色光を基板１０の右側対向板部位１０ｂに向けて出射する。
【００５４】
すると、基盤１０が無色透明であるため、複数の発光ダイオード３３からの各青色光が基盤１０の左側対向板部位１０ａを通り装飾板２０の図柄部２４ａに対する対応部位に入射すると同時に、複数の発光ダイオード４３からの各赤色光が基盤１０の右側対向板部位１０ｂを通り両図柄部２４ｂ、２２ａの双方に対する装飾板２０の対応部位に入射する。
【００５５】
これに伴い、上述のように図柄部２４ａに対する装飾板２０の対応部位に入射した各青色光は、図柄部２４ａに対する縮み層２５の対応部を透過するとともに、上述のように両図柄部２４ｂ、２２ａの双方に対する装飾板２０の対応部位に入射した各赤色光は、図柄部２４ｂに対する縮み層２５の対応部を透過する。
【００５６】
ここで、縮み層２５は、上述のごとく光拡散特性を有するため、基板１０からの入射光を拡散させる。このため、図柄部２４ａに入射する各青色光は、図柄部２４ａの全体に亘り均一な輝度の青色拡散光となって、図柄部２４ａを透過するとともに、図柄部２４ｂに入射する各赤色光は、図柄部２４ｂの全体に亘り均一な輝度の赤色拡散光となって、図柄部２４ｂを透過する。但し、図柄部２４ａは上述のごとくくりぬき形成されているため、図柄部２４ａに入射する青色拡散光は、そのままの色にて、当該図柄部２４ａを通過する。また、図柄部２４ｂの枠及び文字列は、上述のごとく赤色に形成されているため、図柄部２４ｂに入射する赤色拡散光は、図柄部２４ｂの枠及び文字列を赤色で強く光らせるようにして当該図柄部２４ｂを透過する。
【００５７】
ついで、このようにして図柄部２４ａを通過した青色拡散光及び図柄部２４ｂを透過した赤色拡散光は、遮蔽層２３に入射する。ここで、遮蔽層２３は、上述のごとく、メタリックインクを用いてシルク印刷されているため、当該遮蔽層２３は上記所定の光学特性を有する。従って、遮蔽層２３に入射する青色拡散光及び赤色拡散光は、当該遮蔽層２３を透過して両図柄部２４ａ、２４ｂに対する一側図柄層２２の各対応部位に入射する。
【００５８】
また、一側図柄層２２は、上述のごとく、オフセット印刷により形成されているから、この一側図柄層２２は、上記透光可能な薄さとなっている。従って、各図柄部２４ａ、２４ｂに対する一側図柄層２２の各対応部位に入射する青色拡散光及び赤色拡散光は当該各対応部位を適正に透過する。但し、図柄部２２ａは、図柄部２４ｂとほぼ重なるように位置しているため、上記赤色拡散光は、図柄部２２ａを透過することとなる。
【００５９】
以上のようにして一側図柄層２２を透過した青色拡散光及び赤色拡散光は、透明シート２１をその無色透明のもとに透過して上記遊技者側へ出射する。
【００６０】
このような段階においては、上記遊技者は、上述のように透明シート２１からの青色拡散光及び赤色拡散光の出射のもとに、装飾板２０を視認することとなる。これによれば、透明シート２１からの青色拡散光に基づき、他側図柄層２４の図柄部２４ａである３本の雷光線部が、上記遊技者によって、均一な青色にて視認されるとともに、図柄部２４ｂが、透明シート２１からの赤色拡散光に基づき、均一な赤色にて視認され得る。
【００６１】
このため、上述のように装飾板２０において一側図柄層２２の青色の図柄部２２ａしか視認していなかった上記遊技者が、当該図柄部２２ａに代えて、他側図柄層２４の図柄部２４ａを透過する青色拡散光及び図柄部２４ｂを透過する赤色拡散光でもって、青色の図柄部２４ａ及び赤色の図柄部２４ｂを視認することとなる（図９参照）。これにより、当該パチンコ遊技機の遊技状態が、通常の遊技状態から他の遊技状態に変化したことが、上記遊技者によって明確に認識され得る。なお、図９において、両図柄部２４ａ、２４ｂは、本来破線で示すべきであるが、便宜上、実線で示されている。
【００６２】
ここで、図柄部２４ｂは上述のように赤色で強く光る。従って、上述のように図柄部２４ｂとほぼ重なって位置する図柄部２２ａが青色に形成されていても、この青色は、図柄部２４ｂの強く光る赤色に比べて、無視し得る程度、換言すれば、図柄部２４ｂしか視認できない程度に弱く光る色である。このため、図柄部２４ｂが浮き出るように見えて、遊技者の注意を引くことができる。その結果、上記遊技者は、図柄部２２ａを気にすることなく、図柄部２４ｂを良好に視認し得る。
【００６３】
また、上述のように基板１０が無色透明であるから、一側及び他側の各図柄層２２、２４の各図柄部は、遊技盤Ｂ上の障害釘７１や風車５０ｃ等の役物の位置に影響されることなく、自由に位置させることができるので、装飾板２０のデザインの自由度が向上し得る。また、上述のように基板１０が無色透明であるから、各光源３０、４０からの光は、当該基板１０のどの部位をも透過できるので、光を装飾板２０に向けて通過させるに要する貫通穴をわざわざ基板に設ける必要もない。
（第２実施形態）
図１０及び図１１は、本発明の第２実施形態の要部を示している。この第２実施形態では、上記第１実施形態にて述べた遊技盤Ｂにおいて、基板１０及び装飾板２０に代えて、基板１０Ａ及び装飾板２０Ａが採用されている。
【００６４】
基板１０Ａは、複数のベニヤ板を積層してなるもので、上記第１実施形態にて述べた基板１０の左側対向部位１０ａ及び右側対向部位１０ｂに対する基板１０Ａの各対応部位には、図１０或いは図１１にて示すごとく、各貫通穴部１０ｃ、１０ｄが形成されている。
【００６５】
装飾板２０Ａは、上記第１実施形態にて述べた装飾板２０において、台紙２６を付加的に採用した構成を備えている。台紙２６は、装飾板２０の縮み層２５に沿いその裏面側から接着剤でもって接着されており、この台紙２６には、各開口部２６ａ、２６ｂが、図１０或いは図１１にて示すごとく、基板１０Ａの各貫通穴部１０ｃ、１０ｄに対向するように形成されている。なお、本第２実施形態では、上記第１実施形態にて述べた障害釘群７０の多数の釘７１のうち、基板１０Ａの貫通穴部１０ｃに対応する障害釘７１は、廃止されている（図１０参照）。
【００６６】
また、本第２実施形態では、上記第１実施形態にて述べた両光源３０、４０に代えて、両光源３０Ａ、４０Ａが採用されている。光源３０Ａは、上記第１実施形態にて述べた光源３０のうちの回路基板３２及び複数の発光ダイオード３３のみにより構成されている。回路基板３２は、その外周部にて、複数の発光ダイオード３３を基板１０Ａの貫通穴部１０ｃを通して台紙２６の開口部２６ａを臨ませるように、基板１０Ａの背後から貫通穴部１０ｃの外周部に支持されている。
【００６７】
また、光源４０Ａは、上記第１実施形態にて述べた光源４０のうちの回路基板４２及び複数の発光ダイオード４３のみにより構成されている。回路基板４２は、その外周部にて、複数の発光ダイオード４３を基板１０Ａの貫通穴部１０ｄを通して台紙２６の開口部２６ｂを臨ませるように、基板１０Ａの背後から貫通穴部１０ｄの外周部に支持されている。その他の構成は、上記第１実施形態と同様である。
【００６８】
以上のように構成した本第２実施形態において、上記第１実施形態と同様に、当該パチンコ遊技機の遊技状態が上記他の遊技状態に変化すると、複数の発光ダイオード３３からの各青色光が、基板１０Ａの貫通穴部１０ｃ及び台紙２６の開口部２６ａを通り縮み層２５の図柄部２４ａに対する対応部位に入射すると同時に、複数の発光ダイオード４３からの各赤色光が基板１０Ａの貫通穴部１０ｄ及び台紙２６の開口部２６ｂを通り両図柄部２４ｂ、２２ａの双方に対する縮み層２５の対応部位に入射する。
【００６９】
このように上記第１実施形態の基板１０とは異なり、基板１０Ａがベニヤ板の積層構造からなるために不透明であることから、各光源３０Ａ、４０Ａからの光を装飾板２０Ａの縮み層２５に入射させるために、基板１０Ａに上述のごとく各貫通穴部１０ｃ、１０ｄを形成するとともに台紙２６に各開口部２６ａ、２６ｂを形成しなければならない。従って、一側及び他側の各図柄層２２、２４の各図柄部の形成位置が、遊技盤Ｂ上の障害釘７１や上記役物のない位置に規制される。よって、装飾板のデザインの自由度が制限されるが、その他の作用効果は、縮み層２５に入射した光に基づき上記第１実施形態と同様である。
【００７０】
なお、本発明の実施にあたり、上記各実施形態に限ることなく、次のような種々の変形例が挙げられる。
（１）他側図柄層２４の図柄部２４ｂの枠及び文字列（DANGER)の色は、赤色に限ることなく、青色よりも強く光る色であれば、白色等の赤色とは異なる色であってもよい。これに伴い、さらに言及すれば、一側図柄層２２の図柄部２２ａの枠及び文字列の色は、青に限ることなく、他側図柄層２４の図柄部２４ｂの枠及び文字列の色よりも弱く光る色であればよい。なお、両光源３０、４０の各発光ダイオードの出射光の色は、上記実施形態とは異なり、各図柄部の色の変化にあわせて適宜変更すればよい。
（２）両図柄部２２ａ、２４ｂは、上記実施形態とは異なり、互いに重なっていなくてもよい。
（３）図柄部２２ａ、２４ａ或いは２４ｂは、上記実施形態にて述べた構成に限ることなく、色々な装飾モチーフで構成されていてもよく、一般的には、図柄部として把握してもよい。
（４）透明シート２１は、上記実施形態にて述べたポリエステル樹脂材料に限ることなく、無色透明な高分子材料であればよい。
（５）装飾板２０或いは２０Ａのうち案内レール５０ａの外側にはみ出す部位においても、本発明の適用は可能である。
（６）一側図柄層２２の図柄部２２ａの文字列や枠の色は、青色に限ることなく、この青色とは異なる単色或いは一側図柄層２２の背景色とは異なるフルカラーであってもよい。但し、光が両図柄部２２ａ、２４ｂを透過したとき図柄部２４ｂしか見えない程度に、上記単色或いはフルカラーが、他側図柄層２４の図柄部２４ｂの赤色に比べて、弱く光る色であることが望ましい。
（７）基板２０Ａは、ベニヤ板の積層板に限ることなく、不透明な単一の基板であってもよい。
（８）他側図柄層２４は、上記実施形態にて述べたように単層に限ることなく、例えば、両他側図柄層部を積層して構成してもよい。この場合、例えば、両他側図柄層部のうち一方の他側図柄層部が図柄部２４ａを含むよう形成され、他方の図柄層部が、図柄部２４ｂを含むように形成されていてもよい。また、これに代えて、上記一方の他側図柄層部が、他側図柄層２４と同様に両図柄部２４ａ、２４ｂを含むように形成され、上記他方の他側図柄層部が、上記一方の他側図柄層部の図柄部２４ｂと重なる部位にて新たな図柄部を含むように、形成されていてもよい。この場合、上記新たな図柄部は、例えば、「確率変動」という文字列を緑色に印刷したものであってもよい。これによれば、光源４０からの出射光が赤色光であれば、上記一方の他側図柄層部の図柄部２４ｂである「Danger」が遊技者により視認される。また、光源４０からの出射光が緑色光であれば、上記他方の他側図柄層部の新たな図柄部である「確率変動」が遊技者により視認される。なお、緑色光を受けた上記新たな図柄部が緑色に光る度合いは、赤色光を受けた図柄部２４ｂが赤色に光る度合いと同様である。
（９）一側図柄層２２、遮蔽層２３、他側図柄層２４及び縮み層２５は、上記実施形態にて述べたような印刷層に代えて、一側図柄層２２、遮蔽層２３、他側図柄層２４及び縮み層２５と同様の構成及び光学的特性を有する一側図柄フィルム、遮蔽フィルム、他側図柄フィルム及び光拡散フィルムで形成してもよい。
【図面の簡単な説明】
【００７１】
【図１】本発明を適用したパチンコ遊技機の遊技盤の正面図である。
【図２】図１にて２−２線に沿う部分断面図である。
【図３】図１にて３−３線に沿う部分断面図である。
【図４】透明シートに対する一側図柄層用原印刷層の印刷工程を説明するための部分破断背面図である。
【図５】図４の一側図柄層用原印刷層に対する遮蔽層用原印刷層の印刷工程を説明するための部分破断背面図である。
【図６】図５の遮蔽層用原印刷層に対する他側図柄層用原印刷層の印刷工程を説明するための部分破断背面図である。
【図７】図６の他側図柄層用原印刷層に対する縮み層用原印刷層の印刷工程を説明するための部分破断背面図である。
【図８】図７の印刷工程後装飾板用原板を図１の装飾板の形状に打ち抜く工程を説明するための正面図である。
【図９】上記第１実施形態において上記パチンコ遊技機の遊技状態が通常の遊技状態から他の遊技状態に変化するときの装飾板に対する視認状態を示す遊技盤の正面図である。
【図１０】本発明の第２実施形態を示す遊技盤の部分断面図である。
【図１１】本発明の第２実施形態を示す遊技盤の部分断面図である。
【符号の説明】
【００７２】
Ｂ…遊技盤、２０、２０Ａ…装飾板、２１…透明シート、２２…一側図柄層、
２２ａ、２４ａ、２４ｂ…図柄部、２３…遮蔽層、２４…他側図柄層、２５…縮み層。
【図１】
2010000228.tif 000003
【図２】
2010000228.tif 000004
【図３】
2010000228.tif 000005
【図４】
2010000228.tif 000006
【図５】
2010000228.tif 000007
【図６】
2010000228.tif 000008
【図７】
2010000228.tif 000009
【図８】
2010000228.tif 000010
【図９】
2010000228.tif 000011
【図１０】
2010000228.tif 000012
【図１１】
2010000228.tif 000013